(57)【要約】【課題】ワイヤハーネスの枝線に設けられたコネクタが接続される扁平な形状の電装部品を、ワイヤハーネスの幹線部に対して横方向へのはみ出し幅が極力小さい状態で簡易に固定できること。【解決手段】扁平電装部品１０は、電線束９の枝線９２に設けられたコネクタ９３が接続され、側面１３〜１６が上面１１及び下面１２よりも狭い幅で形成された扁平な部材である。扁平電装部品１０の第一側面１５は、電線束９の幹線部９１の一部が嵌り込んだ溝状の面である。扁平電装部品１０の第一側面１５に沿う縁部に、電線束９の幹線部９１と連結される連結部２０が形成されている。連結部２０は、ベルト部材８の一端が固着されたベルト固着部２１と、ベルト部材８が通される貫通孔２２０を形成するとともに、貫通孔２２０に通されたベルト部材８の凹凸部８３に引っ掛かり、ベルト部材８を幹線部９１に巻き付けられた状態で保持するベルト保持部２２とを備える。【選択図】図１
2013084408.tif 000002
【特許請求の範囲】
【請求項１】
幹線部及び該幹線部から分岐した枝線を有する電線束と、
前記電線束の前記枝線に設けられたコネクタが接続され、側面が上面及び下面よりも狭い幅で形成された扁平な部材であり、複数の側面のうちの一つである第一側面に沿う縁部に前記電線束の前記幹線部と連結される連結部が形成された扁平電装部品と、
前記電線束の前記幹線部に巻き付けられ、前記扁平電装部品の前記第一側面が前記電線束の前記幹線部に沿って該幹線部に接した状態で前記電線束の前記幹線部と前記扁平電装部品の前記連結部とを連結するベルト部材と、を備えることを特徴とするワイヤハーネス。
【請求項２】
前記扁平電装部品の前記第一側面は、前記電線束の前記幹線部の一部が嵌り込んだ溝状の面である、請求項１に記載のワイヤハーネス。
【請求項３】
前記扁平電装部品の前記連結部は、
前記第一側面に沿う縁部において前記ベルト部材の一端が固着されたベルト固着部と、
前記第一側面に沿う縁部において、前記ベルト部材が通された貫通孔を形成するとともに、前記貫通孔に通された前記ベルト部材の凹凸部に引っ掛かることにより、前記ベルト部材を前記電線束の前記幹線部に巻き付けられた状態で保持するベルト保持部と、を備える、請求項１又は請求項２に記載のワイヤハーネス。
【請求項４】
前記扁平電装部品の前記連結部は、前記ベルト部材が通された貫通孔を形成する枠部を備え、
前記ベルト部材は、その一端において当該ベルト部材が通された貫通孔を形成するとともに、他端から前記貫通孔に通された当該ベルト部材の凹凸部に引っ掛かることにより、当該ベルト部材を、前記電線束の前記幹線部及び前記連結部の前記枠部を結束した環状に保持するベルト保持部を備える、請求項１又は請求項２に記載のワイヤハーネス。
【請求項５】
側面が上面及び下面よりも狭い幅で形成された扁平な部材であり、電線束における幹線部から分岐した枝線に設けられたコネクタが接続される扁平電装部品であって、
複数の側面のうちの一つである第一側面に沿う縁部においてベルト部材により前記電線束の前記幹線部と連結される連結部を備えることを特徴とする扁平電装部品。
【請求項６】
前記第一側面は、前記電線束の前記幹線部の一部が嵌り込む溝状の面である、請求項６に記載の扁平電装部品。
【請求項７】
前記連結部は、
前記第一側面に沿う縁部において前記ベルト部材の一端が固着されたベルト固着部と、
前記第一側面に沿う縁部において、前記ベルト部材が通される貫通孔を形成するとともに、前記貫通孔に通される前記ベルト部材の凹凸部に引っ掛かることにより、前記ベルト部材を前記電線束の前記幹線部に巻き付けられた状態で保持するベルト保持部と、を備える、請求項６又は請求項７に記載の扁平電装部品。
【発明の詳細な説明】
【技術分野】
【０００１】
本発明は、電線束の枝線と電気的に接続される扁平な部材である扁平電装部品及びそれを備えるワイヤハーネスに関する。
【背景技術】
【０００２】
車両に搭載されるワイヤハーネスは、複数の絶縁電線が束ねられた電線束を備え、その電線束には、端部にコネクタなどの電装部品が接続された電線が含まれる。例えば、ワイヤハーネスにおける幹線部の中間部分から分岐した複数の枝線が電気的に接続される場合、複数の枝線の端部に設けられたコネクタが、電気的に接続された複数の端子を内包するジョイントコネクタに接続される場合がある。この場合、枝線のコネクタ内の複数の端子は、ジョイントコネクタ内の複数の端子に接続され、複数の枝線は、ジョイントコネクタ内の端子を介して電気的に接続される。
【０００３】
また、ジョイントコネクタなどの電装部品は、ワイヤハーネスの幹線部に固定されることが多い。例えば、特許文献１には、枝線に設けられたコネクタが、所定の固定具（クリップ）を介して粘着テープによりワイヤハーネスの幹線部に固定されることについても示されている。
【０００４】
さらに、特許文献１には、枝線に設けられたコネクタが、そのコネクタの左右の側面に固定された一対のベルト部材によってワイヤハーネスの幹線部に固定されることについて示されている。ベルト部材は、粘着テープに比べ、より強固な固定が可能であり、さらに、巻き付け作業が簡易である。
【先行技術文献】
【特許文献】
【０００５】
【特許文献１】特開平９−１１５６０４号公報
【発明の概要】
【発明が解決しようとする課題】
【０００６】
ところで、特許文献１にも示されるように、ワイヤハーネスの幹線部に固定される電装部品は、側面が上面及び下面よりも狭い幅で形成された扁平な部材である場合がある。以下、そのような扁平な電装部品のことを扁平電装部品と称する。
【０００７】
特許文献１に示されるワイヤハーネスにおいて、扁平電装部品は、幅の広い下面又は上面が幹線部に対向する状態で幹線部に固定されている。そのため、特許文献１に示される扁平電装部品の固定構造が採用された場合、上面及び下面の幅が広いほど、幹線部から横方向へより大きくはみ出す。
【０００８】
従って、特許文献１に示される扁平電装部品の固定構造は、ワイヤハーネスの配線スペースの幅に十分な余裕がない場合には採用できない。例えば、従来のワイヤハーネスにおける扁平電装部品が固定された幹線部が、ＥＣＵ（Electronic Computer Unit）などの他の２つの車両部品の間の幅の狭い隙間に配置される場合、扁平電装部品が他の車両部品と干渉してしまう。
【０００９】
本発明は、ワイヤハーネスの枝線に設けられたコネクタが接続される扁平な形状の電装部品を、ワイヤハーネスの幹線部に対して横方向へのはみ出し幅が極力小さい状態で簡易に固定できることを目的とする。
【課題を解決するための手段】
【００１０】
本発明に係るワイヤハーネスは、以下に示す各構成要素を備える。
（１）第１の構成要素は、幹線部及びその幹線部から分岐した枝線を有する電線束である。
（２）第２の構成要素は、前記電線束の前記枝線に設けられたコネクタが接続され、側面が上面及び下面よりも狭い幅で形成された扁平な部材であり、複数の側面のうちの一つである第一側面に沿う縁部に前記電線束の前記幹線部と連結される連結部が形成された扁平電装部品である。
（３）第３の構成要素は、前記電線束の前記幹線部に巻き付けられ、前記扁平電装部品の前記第一側面が前記電線束の前記幹線部に沿って該幹線部に接した状態で前記電線束の前記幹線部と前記扁平電装部品の前記連結部とを連結するベルト部材である。
【００１１】
また、本発明に係るワイヤハーネスにおいて、前記扁平電装部品の前記第一側面が、前記電線束の前記幹線部の一部が嵌り込んだ溝状の面であればなお好適である。なお、前記幹線部に食い込む突起部が前記第一の面に形成されていればさらに好適である。
【００１２】
また、本発明に係るワイヤハーネスにおいて、前記扁平電装部品の前記連結部が、以下に示される各構成要素を備えることが考えられる。
（４）第４の構成要素は、前記第一側面に沿う縁部において前記ベルト部材の一端が固着されたベルト固着部である。
（５）第５の構成要素は、前記第一側面に沿う縁部において、前記ベルト部材が通された貫通孔を形成するとともに、前記貫通孔に通された前記ベルト部材の凹凸部に引っ掛かることにより、前記ベルト部材を前記電線束の前記幹線部に巻き付けられた状態で保持するベルト保持部である。
【００１３】
また、本発明に係るワイヤハーネスにおいて、前記扁平電装部品の前記連結部が、前記ベルト部材が通された貫通孔を形成する枠部を備えることが考えられる。この場合、前記ベルト部材は、その一端において当該ベルト部材が通された貫通孔を形成するとともに、他端から前記貫通孔に通された当該ベルト部材の凹凸部に引っ掛かることにより、当該ベルト部材を、前記電線束の前記幹線部及び前記連結部の前記枠部を結束した環状に保持するベルト保持部を備える。
【００１４】
また、本発明は、以上に示された本発明に係るワイヤハーネスが備える扁平電装部品の発明として捉えられてもよい。即ち、本発明に係る扁平電装部品は、側面が上面及び下面よりも狭い幅で形成された扁平な部材であり、電線束における幹線部から分岐した枝線に設けられたコネクタが接続される電装部品である。さらに、本発明に係る扁平電装部品は、以下に示される各構成要素を備える。
（１）第１の構成要素は、複数の側面のうちの一つである第一側面に沿う縁部においてベルト部材により前記電線束の前記幹線部と連結される連結部である。
【００１５】
また、本発明に係る扁平電装部品において、前記第一側面が、前記電線束の前記幹線部の一部が嵌り込む溝状の面であればなお好適である。
【００１６】
また、本発明に係る扁平電装部品の前記連結部が、以下に示される各構成要素を備えることも考えられる。
（２）第２の構成要素は、前記第一側面に沿う縁部において前記ベルト部材の一端が固着されたベルト固着部である。
（３）第３の構成要素は、前記第一側面に沿う縁部において、前記ベルト部材が通される貫通孔を形成するとともに、前記貫通孔に通される前記ベルト部材の凹凸部に引っ掛かることにより、前記ベルト部材を前記電線束の前記幹線部に巻き付けられた状態で保持するベルト保持部である。
【発明の効果】
【００１７】
本発明において、扁平電装部品は、幅の狭い側面（第一側面）に沿う縁部に形成された連結部において、側面が電線束の幹線部に沿う状態で、ベルト部材により電線束の幹線部に対して固定される。そのため、本発明が採用された場合、扁平電装部品における幅の広い下面又は上面が電線束の幹線部に対向する従来のワイヤハーネスが採用される場合に比べ、電線束の幹線部に対する扁平電装部品の横方向へのはみ出し幅が小さくなる。
【００１８】
さらに、本発明によれば、扁平電装部品は、ベルト部材により、電線束の幹線部に固定されるため、粘着テープが用いられる場合よりも強固な固定及び簡易な作業による固定が可能である。
【００１９】
ところで、本発明に係るワイヤハーネスに対して外力が加わり、扁平電装部品が電線束の幹線部に対してねじれる方向において変位した場合、電線束の幹線部に対する扁平電装部品の横方向へのはみ出し幅が大きくなってしまう。もちろん、扁平電装部品が、ベルト部材によって電線束の幹線部に対して二箇所以上で固定された場合、そのようなねじれ方向の変位は生じにくい。しかしながら、扁平電装部品を電線束に固定する作業の簡素化のためには、扁平電装部品が、ベルト部材によって電線束の幹線部に対して一箇所でのみ固定されることが望ましい。
【００２０】
そこで、扁平電装部品において、電線束の幹線部に接する側面が、電線束の幹線部の一部が嵌り込む溝状の面であれば好適である。この場合、扁平電装部品は、外力を受けても電線束の幹線部に対してねじれる方向へ変位しにくい。その結果、扁平電装部品は、側面が電線束の幹線部に沿う状態、即ち、電線束の幹線部に対する横方向へのはみ出し幅が小さい状態で安定的に保持される。また、扁平電装部品において、電線束の幹線部に食い込む突起部が幹線部に接する側面に形成されていれば、扁平電装部品が、幹線部の周りに回転してしまうことが防止され、さらに好適である。
【００２１】
また、本発明において、ベルト部材の一端が、扁平電装部品に固着されていれば、ベルト部材と扁平電装部品とが独立している場合に比べ、部品点数が少なくなり、扁平電装部品をワイヤハーネスに固定するための工数、及び部品管理のための工数がより簡素化される。
【００２２】
一方、扁平電装部品の連結部が、ベルト部材が通される貫通孔を形成する枠部を備え、さらに、ベルト保持部と一体となった従来の一般的な電線結束用のベルト部材が採用されることも考えられる。この場合、汎用品である従来の電線結束用のベルト部材を有効利用することができる。
【図面の簡単な説明】
【００２３】
【図１】本発明の第１実施形態に係るワイヤハーネス１の斜視図である。
【図２】ワイヤハーネス１の断面図である。
【図３】本発明の第１実施形態に係る扁平電装部品１０の斜視図である。
【図４】本発明の第２実施形態に係る扁平電装部品１０Ａの斜視図である。
【図５】本発明の第２実施形態に係るワイヤハーネス１Ａの断面図である。
【発明を実施するための形態】
【００２４】
以下、添付の図面を参照しながら、本発明の実施形態について説明する。以下の実施形態は、本発明を具体化した一例であり、本発明の技術的範囲を限定する事例ではない。
【００２５】
＜第１実施形態＞
まず、図１から図３を参照しつつ、本発明の第１実施形態に係る扁平電装部品１０及びそれを備えた本発明の第１実施形態に係るワイヤハーネス１の構成について説明する。なお、図２は、図１に示されるＡ−Ａ平面における断面図である。
【００２６】
図１及び図２に示されるように、ワイヤハーネス１は、電線束９と扁平電装部品１０とベルト部材８とを備える。電線束９は、束ねられた複数の電線９０からなる幹線部９１と、その幹線部９１の中間部分から分岐した複数の枝線９２を有する。なお、枝線９２が、幹線部９１の端部から分岐した電線である場合も考えられる。
【００２７】
各図に示される座標軸において、Ｘ軸方向は、幹線部９１の長手方向を表し、Ｙ軸方向は、幹線部９１の長手方向に直交する幹線部９１の幅方向を表し、Ｚ軸方向は、幹線部９１の長手方向及び幅方向に直交する高さ方向を表す。
【００２８】
図２に示されるように、ベルト部材８の一方の面には、ベルト部材８の長手方向において交互に連続して形成された凹部８３１及び凸部８３２からなる凹凸部８３が形成されている。また、本実施形態においては、ベルト部材８の一方の端である第一の端８１は固定端であり、ベルト部材８の他方の端である第二の端８２は自由端である。
【００２９】
扁平電装部品１０は、枝線９２の端部に設けられたコネクタ９３が接続される電装部品である。この扁平電装部品１０は、四方の側面１３〜１６が上面１１及び下面１２よりも狭い幅で形成された扁平な部材である。以下、四方の側面１３〜１６のそれぞれを、前方側面１３、後方側面１４、第一側面１５及び第二側面１６と称する。
【００３０】
図１から図３に示される例では、扁平電装部品１０は、複数の枝線９２の端部に設けられたコネクタ９３が接続され、複数の枝線９２を電気的に接続するジョイントコネクタである。
【００３１】
より具体的には、扁平電装部品１０の前方側面１３には、相手側コネクタの端子部が挿入される不図示の接続ポートが形成されている。また、扁平電装部品１０の後方側面１４の内側には、枝線９２の端部に設けられたコネクタ９３の複数の端子を電気的に接続する不図示の短絡導体が内蔵されている。コネクタ９３の複数の端子は、複数の枝線９２各々と接続されている。なお、扁平電装部品１０の前方側面１３に、相手側コネクタの接続ポートに挿入される接続プラグが設けられることも考えられる。
【００３２】
また、扁平電装部品１０の第一側面１５は、電線束９の幹線部９１の一部が嵌り込んだ溝状の面である。即ち、扁平電装部品１０単体において、第一側面１５は、電線束９の幹線部９１の一部が嵌り込む溝状の面である。
【００３３】
図１から図３に示される例では、第一側面１５は、その長手方向に直交する方向において湾曲した凹面である。ワイヤハーネス１においては、第一側面１５の長手方向と電線束９の幹線部９１における扁平電装部品１０が固定される部分の長手方向とは一致している。
【００３４】
また、扁平電装部品１０の第一側面１５には、電線束９の幹線部９１に食い込む突起部１５１が形成されている。この突起部１５１は、電線束９における複数の電線９０の隙間又は電線９０の絶縁被覆に食い込む。なお、第一側面１５が、その長手方向に直交する方向において屈曲した凹面であることも考えられる。
【００３５】
また、扁平電装部品１０における第一側面１５に沿う縁部には、ベルト部材８によって電線束９の幹線部９１と連結される連結部２０が形成されている。ベルト部材８は、電線束９の幹線部９１に巻き付けられ、扁平電装部品１０の第一側面１５が電線束９の幹線部９１に沿って幹線部９１に接した状態で、電線束の幹線部９１と扁平電装部品１０の連結部２０とを連結する帯状の部材である。
【００３６】
即ち、ワイヤハーネス１において、第一側面１５に沿う縁部に形成された連結部２０と電線束９の幹線部９１とが、ベルト部材８によって連結されている。これにより、扁平電装部品１０は、電線束の幹線部９１に固定されている。
【００３７】
本実施形態において、扁平電装部品１０の連結部２０は、ベルト固着部２１及びベルト保持部２２を備えている。ベルト固着部２１は、第一側面１５に沿う縁部における下面１２側の部分においてベルト部材８の第一の端８１が固着された部分である。即ち、扁平電装部品１０において、連結部２０とベルト部材８とは繋がって一体に形成されている。
【００３８】
一方、連結部２０のベルト保持部２２は、第一側面１５に沿う縁部における上面１１側の部分において、ベルト部材８が通される貫通孔２２０を形成する枠部２２１を有する。この枠部２２１には、貫通孔２２０側へ起立した突起部２２が形成されている。枠部２２１は、突起部２２２の部分において、貫通孔２２０へ第二の端８２から通されるベルト部材８の凹凸部８３に引っ掛かることにより、ベルト部材８を電線束９の幹線部９１に巻き付けられた状態で保持する。
【００３９】
なお、ベルト固着部２１が、第一側面１５に沿う縁部における上面１１側の部分に設けられ、ベルト保持部２２が、第一側面１５に沿う縁部における下面１２側の部分に設けられてもよい。即ち、ベルト固着部２１及びベルト保持部２２の各々が、第一側面１５に沿う縁部における上面１１側の部分及び下面１２側の部分の一方と他方とに分かれて設けられていればよい。
【００４０】
即ち、ベルト部材８の凹凸部８３及び連結部２０の枠部２２１は、ベルト部材８が貫通孔２２０から抜けることを妨げる抜け止め機構を構成している。また、ベルト部材８の凹凸部８３は、凹部８３１と凸部８３２とがベルト部材８の長手方向に沿って周期的に形成された部分である。そのため、凹凸部８３及び枠部２２１は、ベルト部材８における電線束９の幹線部９１に巻き付けられる部分の長さを調節する機構でもある。
【００４１】
＜効果＞
ワイヤハーネス１において、扁平電装部品１０は、幅の狭い第一側面１５に沿う縁部に形成された連結部２０において、第一側面１５が電線束９の幹線部９１に沿う状態で、ベルト部材８により電線束９の幹線部９１に対して固定される。そのため、扁平電装部品１０における幅の広い下面１２又は上面１１が電線束９の幹線部９１に対向する従来のワイヤハーネスが採用される場合に比べ、電線束９の幹線部９１に対する扁平電装部品１０の横方向（幅方向）へのはみ出し幅が小さくなる。
【００４２】
さらに、扁平電装部品１０は、ベルト部材８により、電線束９の幹線部９１に固定されるため、粘着テープが用いられる場合よりも強固な固定及び簡易な作業による固定が可能である。
【００４３】
また、ワイヤハーネス１において、扁平電装部品１０は、一本のベルト部材８によって電線束９の幹線部９１に対して一箇所でのみ固定されている。そのため、扁平電装部品１０を電線束９に固定する作業は、複数のベルト部材８が複数の箇所に設けられる場合よりも簡素化される。
【００４４】
また、扁平電装部品１０において、電線束９の幹線部９１に接する第一側面１５は、電線束９の幹線部９１の一部が嵌り込む溝状の面である。そのため、扁平電装部品１０は、一箇所で固定されているだけであるにもかかわらず、外力を受けても電線束９の幹線部９１に対してねじれる方向へ変位しにくい。その結果、扁平電装部品１０は、第一側面１５が電線束９の幹線部９１に沿う状態、即ち、電線束９の幹線部９１に対する横方向（幅方向)へのはみ出し幅が小さい状態で安定的に保持される。
【００４５】
また、扁平電装部品１０において、電線束９の幹線部９１に食い込む突起部１５１が、幹線部９１に接する第一側面１５に形成されている。この突起部１５は、扁平電装部品１０が幹線部９１の周りに回転することを防ぐ回転止めとして機能する。そのため、扁平電装部品１０が、幹線部９１の周りに回転してしまうことが防止される。
【００４６】
また、扁平電装部品１０において、ベルト部材８の第一の端８１が、扁平電装部品１０の連結部２０に固着されている。この場合、ベルト部材８と扁平電装部品１０とが独立している場合に比べ、部品点数が少なくなり、扁平電装部品１０を電線束９に固定するための工数、及び部品管理のための工数がより簡素化される。
【００４７】
＜第２実施形態＞
次に、図４及び図５を参照しつつ、本発明の第２実施形態に係る扁平電装部品１０Ａ及びそれを備えた本発明の第２実施形態に係るワイヤハーネス１Ａについて説明する。なお、図４は、扁平電装部品１０Ａの斜視図であり、図５は、ワイヤハーネス１Ａの断面図である。図５の断面図は、図２の断面図の断面に相当する平面における断面図である。
【００４８】
扁平電装部品１０Ａは、図１から図３に示された扁平電装部品１０の連結部２０とは一部の構造が異なる連結部２０Ａを備えている。さらに、ワイヤハーネス１Ａは、図１及び図２に示されたベルト部材８とは一部の構造が異なるベルト部材８Ａを備えている。図４及び図５において、図１から図３に示される構成要素と同じ構成要素は、同じ参照符号が付されている。以下、扁平電装部品１０Ａ及びワイヤハーネス１Ａにおける、扁平電装部品１０及びワイヤハーネス１と異なる点についてのみ説明する。
【００４９】
ワイヤハーネス１Ａにおいて、ベルト部材８Ａは、扁平電装部品１０Ａの連結部２０Ａとは繋がっておらず、扁平電装部品１０Ａから独立した部材である。ワイヤハーネス１Ａに採用されるベルト部材８Ａは、広く用いられている従来の電線結束用のベルト部材である。
【００５０】
図４に示されるように、ベルト部材８Ａは、第一の端８１において当該ベルト部材８Ａが通される貫通孔８４０を形成する第一枠部８４１を含むベルト保持部８４を備えている。第一枠部８４１には、貫通孔８４０側へ起立した突起部８４２が形成されている。ベルト保持部８４は、第一枠部８４１の突起部８４２の部分において、第二の端８２から貫通孔８４０に通された当該ベルト部材８Ａの凹凸部８３に引っ掛かることにより、当該ベルト部材８Ａを環状に保持する。
【００５１】
なお、ベルト部材８Ａのベルト保持部８４における貫通孔８４０、第一枠部８４１及び突起部８４２は、それぞれ扁平電装部品１０のベルト保持部２２における貫通孔２２０、枠部２２１及び突起部２２２に相当する。
【００５２】
一方、扁平電装部品１０Ａの連結部２０Ａは、ベルト部材８Ａが通される貫通孔２３０を形成する第二枠部２３を備えている。なお、扁平電装部品１０Ａの連結部２０Ａは、ベルト部材８Ａを電線束９の幹線部９１に巻き付けられた状態で保持する機構を備えていない。
【００５３】
ワイヤハーネス１において、ベルト部材８Ａは、電線束９の幹線部９１及び扁平電装部品１０Ａの連結部２０Ａにおける第二枠部２３を結束する。さらに、ベルト部材８Ａのベルト保持部８４は、ベルト部材８Ａを、電線束９の幹線部９１及び連結部２０Ａの第二枠部２３を結束した環状に保持する。
【００５４】
ワイヤハーネス１Ａが採用されることにより、汎用品である従来の電線結束用のベルト部材８Ａを有効利用することができる。
【００５５】
＜その他＞
扁平電装部品１０，１０Ａにおいて、電線束９の幹線部９１に接する第一側面１５が、平面であることも考えられる。但し、この場合、扁平電装部品１０，１０Ａの連結部２０，２０Ａが、幹線部９１の長手方向における複数の箇所において、ベルト部材８，８Ａにより幹線部９１に対して連結されることが望ましい。
【００５６】
例えば、扁平電装部品１０の連結部２０が、第一側面１５の長手方向における複数箇所において、ベルト固着部２１とベルト保持部２２とを備えることが考えられる。同様に、扁平電装部品１０Ａの連結部２０Ａが、第一側面１５の長手方向における複数箇所において、第二枠部２３を備えることが考えられる。
【符号の説明】
【００５７】
１，１Ａ  ワイヤハーネス
８，８Ａ  ベルト部材
９  電線束
１０，１０Ａ  扁平電装部品
１１  上面
１２  下面
１３  前方側面
１４  後方側面
１５  第一側面
１６  第二側面
２０，２０Ａ  連結部
２１  ベルト固着部
２２  ベルト保持部
２２  突起部
２３  第二枠部
８１  第一の端
８２  第二の端
８３  凹凸部
８４  ベルト保持部
９０  電線
９１  幹線部
９２  枝線
１３１  接続ポート
１５１  突起部
２２０  貫通孔
２２１  枠部
２２２  突起部
２３０  貫通孔
８３１  凹部
８３２  凸部
８４０  貫通孔
８４１  第一枠部
８４２  突起部
【図１】
2013084408.tif 000003
【図２】
2013084408.tif 000004
【図３】
2013084408.tif 000005
【図４】
2013084408.tif 000006
【図５】
2013084408.tif 000007